(57)【要約】【課題】本願発明は、ゴルフクラブ購入後であってもゴルフクラブのロフト角等をプレーヤーの体形や好みに応じて容易に、かつ、プレーヤー自身やゴルフショップなどがプレー中以外で微妙に変えることができるとともに、公式競技でも使用可能で降水中に使用しても水が滞留する恐れがなく、ソール凹み部の底面に過大な押圧力が掛かる恐れがないゴルフクラブを提供する。【解決手段】ゴルフクラブヘッドのソール面に所定の平面形状を有するソール凹み部を凹設し、このソール凹み部と平面形状が略同一であって該ソール凹み部に嵌合する着脱可能な板状の角度調整板の中央部分および／またはバックフェース側をソール面から所望の突出高さを以って固定させることにより、ロフト角等を変化せしめる構成とした。【選択図】図６
2008272274.tif 000002
【特許請求の範囲】
【請求項１】
ゴルフクラブヘッドのソール面に凹設され該ソール面に対し該ゴルフクラブヘッドのフェース側がバックフェース側と同一の深さまたはフェース側がバックフェース側よりも浅くなるように形成された底面を有し所定の平面形状を有するソール凹み部と、
平面形状が前記ソール凹み部の平面形状と略同一であって該ソール凹み部に着脱可能に嵌合する表面が平滑な第１の角度調整板、第２の角度調整板または第３の角度調整板の内のいずれか１つの板状の角度調整板と、
前記角度調整板をソール凹み部に嵌着させる頭付きねじである第１のねじおよび／または中心軸に螺入孔が穿設された頭付き親ねじと該螺入孔に螺入する頭付き子ねじからなる第２のねじと、からなり、
前記角度調整板を貫通する前記第１のねじおよび／または第２のねじを介して前記ソール凹み部に嵌着された該角度調整板のフェース側の高さは前記ソール面に略面一であるとともに該角度調整板のフェース側は該ソール凹み部の底面に面で密着し、該角度調整板のバックフェース側および／または該角度調整板の前記ゴルフクラブヘッドのフェース面に略平行な中央部分は該ソール面に対し所定の高さに突出することにより該角度調整板が前記ソール面に対し所望の角度で固着され、
前記第１の角度調整板は１枚の板からなりバックフェース側に向けてその板厚が略同一または徐々に厚くなるとともに前記ソール凹み部の底面に該第１の角度調整板のフェース側が面で密着して嵌合したときにバックフェース側には該第１の角度調整板と該ソール凹み部の底面との間に所定の間隙を有するように形成され、
前記第２の角度調整板は上部角度調整板と下部角度調整板とからなり該上部角度調整板は前記第１の角度調整板と略同一形であり該下部角度調整板は板厚が略同一の平板であって該角度調整板のフェース側が一体となりバックフェース側の上部角度調整板と下部角度調整板との間に所定の間隙を有するように形成され、
前記第３の角度調整板は１枚の板からなりフェース側とバックフェース側との間の中央部分はフェース側およびバックフェース側よりもその板厚が薄くなるとともに前記ソール凹み部に該第３の角度調整板が嵌合したときに該中央部分には該第３の角度調整板と該ソール凹み部の底面との間に所定の間隙を有するように形成される、ことを特徴とするゴルフクラブヘッド。
【請求項２】
前記ソール凹み部の平面形状はフェース面に略平行な一辺と該一辺の両端からバックフェース側に向かって延伸する左右の辺を有し該左右の辺はバックフェース側で連結される、ことを特徴とする請求項１に記載のゴルフクラブヘッド。
【請求項３】
前記左右の辺は直線および／または曲線であって該左右の辺間の前記一辺に平行な幅は略同一またはバックフェース側に向けて徐々に狭まるように形成され該左右の辺の先端部はフェース面またはバックフェース面に略平行に曲折されて連結される、ことを特徴とする請求項２に記載のゴルフクラブヘッド。
【請求項４】
前記ソール凹み部の底面にはフェース側に第１の螺入孔およびバックフェース側に第２の螺入孔が穿設され、
前記第１の角度調整板を貫通して前記第１の螺入孔に螺入する前記第１のねじにより該第１の角度調整板のフェース側が前記ソール凹み部の底面に面で密着して固定され、
前記第１の角度調整板を貫通して前記第２の螺入孔に螺入する前記第２のねじにより該第１の角度調整板のバックフェース側が該第２のねじの頭付き親ねじの頭部と頭付き子ねじの頭部に挟持されて前記ソール面に対し所定の高さに突出することにより該第１の角度調整板が前記ソール面に対し所望の角度で固着される、ことを特徴とする請求項１ないし請求項３に記載のゴルフクラブヘッド。
【請求項５】
前記ソール凹み部の底面にはフェース側に第１の螺入孔、バックフェース側に第２の螺入孔および該第１の螺入孔と該第２の螺入孔の中間部に第３の螺入孔が穿設され、
前記第１の角度調整板を貫通して前記第１の螺入孔に螺入する前記第１のねじにより該第１の角度調整板のフェース側が前記ソール凹み部の底面に面で密着して固定され、
前記第１の角度調整板を貫通して前記第２の螺入孔に螺入する前記第１のねじまたは前記第２のねじにより該第１の角度調整板のバックフェース側が該第１のねじの頭部に押圧されまたは該第２のねじの頭付き親ねじの頭部と頭付き子ねじの頭部に挟持されて該第１の角度調整板のバックフェース側が前記ソール面に対し所定の高さに突出して固定され、
前記第３の螺入孔に螺入する前記第１のねじまたは前記第１の角度調整板を貫通して該第３の螺入孔に螺入する前記第２のねじにより該第１の角度調整板の中央部分が該第１のねじの頭部に前記ソール凹み部の底面側から押圧されまたは該第２のねじの頭付き親ねじの頭部と頭付き子ねじの頭部に挟持されて該第１の角度調整板の中央部分が前記ソール面に対し所定の高さに突出することにより該第１の角度調整板が前記ソール面に対し所望の角度を以って固着される、ことを特徴とする請求項１ないし請求項３に記載のゴルフクラブヘッド。
【請求項６】
前記ソール凹み部の底面にはフェース側に第１の螺入孔およびバックフェース側に第２の螺入孔が穿設され、
前記第１の角度調整板を貫通して前記第１の螺入孔に螺入する前記第１のねじにより該第１の角度調整板のフェース側が前記ソール凹み部の底面に密着して固定され、
前記第１の角度調整板を貫通して前記第２の螺入孔に螺入する前記第１のねじまたは前記第２のねじにより該第１の角度調整板のバックフェース側が該第１のねじの頭部に押圧されまたは該第２のねじの頭付き親ねじの頭部と頭付き子ねじの頭部に挟持されて固定され、
前記所定の間隙内に挿入され側面から見た形状が前記ソール凹み部の底面の反対側に突出する突出部を有する突出高さ調整金物にバックフェース側から挿通された連結棒が連結されて該連結棒を介して該突出高さ調整金物がフェース〜バックフェース方向に摺動して前記第１の角度調整板の中央部分が該突出高さ調整金物に押圧されて前記ソール面に対し所定の高さに突出することにより該第１の角度調整板が前記ソール面に対し所望の角度を以って固着される、ことを特徴とする請求項１ないし請求項３に記載のゴルフクラブヘッド。
【請求項７】
前記ソール凹み部の底面にはフェース側に第１の螺入孔およびバックフェース側に第２の螺入孔が穿設され、
前記第２の角度調整板を貫通して前記第１の螺入孔に螺入する前記第１のねじにより該第２の角度調整板のフェース側が前記ソール凹み部の底面に密着して固定され、
前記第２の角度調整板を貫通して前記第２の螺入孔に螺入する前記第２のねじにより前記上部角度調整板のバックフェース側が該第２のねじの頭付き親ねじの頭部と頭付き子ねじの頭部に挟持されて該上部角度調整板のバックフェース側が前記ソール面に対し所定の高さに突出することにより該第２の角度調整板が前記ソール面に対し所望の角度を以って固着される、ことを特徴とする請求項１ないし請求項３に記載のゴルフクラブヘッド。
【請求項８】
前記ソール凹み部の底面にはフェース側に第１の螺入孔、バックフェース側に第２の螺入孔および該第１の螺入孔と該第２の螺入孔の中間部に第３の螺入孔が穿設され、
前記第２の角度調整板を貫通して前記第１の螺入孔に螺入する前記第１のねじにより該第２の角度調整板のフェース側が前記ソール凹み部の底面に密着して固定され、
前記第２の角度調整板を貫通して前記第２の螺入孔に螺入する前記第１のねじまたは前記第２のねじにより前記上部角度調整板のバックフェース側が該第１のねじの頭部に押圧されまたは該第２のねじの頭付き親ねじの頭部と頭付き子ねじの頭部に挟持されて該上部角度調整板のバックフェース側が前記ソール面に対し所定の高さに突出して固定され、
前記第３の螺入孔に螺入する前記第１のねじまたは前記第２の角度調整板を貫通して該第３の螺入孔に螺入する前記第２のねじにより前記上部角度調整板の中央部分が該第１のねじの頭部に前記ソール凹み部の底面側から押圧されまたは該第２のねじの頭付き親ねじの頭部と頭付き子ねじの頭部に挟持されて該上部角度調整板の中央部分が前記ソール面に対し所定の高さに突出することにより前記第２の角度調整板が前記ソール面に対し所望の角度を以って固着される、ことを特徴とする請求項１ないし請求項３に記載のゴルフクラブヘッド。
【請求項９】
前記ソール凹み部の底面にはフェース側に第１の螺入孔およびバックフェース側に第２の螺入孔が穿設され、
前記第２の角度調整板を貫通して前記第１の螺入孔に螺入する前記第１のねじにより該第２の角度調整板のフェース側が前記ソール凹み部の底面に密着して固定され、
前記第２の角度調整板を貫通して前記第２の螺入孔に螺入する前記第１のねじまたは前記第２のねじにより前記上部角度調整板のバックフェース側が該第１のねじの頭部に押圧されまたは該第２のねじの頭付き親ねじの頭部と頭付き子ねじの頭部に挟持されて該上部角度調整板のバックフェース側が前記下部角度調整板に対し所定の間隙を以って固定され、
前記所定の間隙内に挿入され側面から見た形状が前記ソール凹み部の底面の反対側に突出する突出部を有する突出高さ調整金物にバックフェース側から挿通された連結棒が連結されて該連結棒を介して該突出高さ調整金物がフェース〜バックフェース方向に摺動して前記第２の角度調整板の中央部分が該突出高さ調整金物に押圧されて前記ソール面に対し所定の高さに突出することにより該第２の角度調整板が前記ソール面に対し所望の角度を以って固着される、ことを特徴とする請求項１ないし請求項３に記載のゴルフクラブヘッド。
【請求項１０】
前記ソール凹み部の底面にはフェース側に第１の螺入孔、バックフェース側に第２の螺入孔および該第１の螺入孔と該第２の螺入孔の中間部に第３の螺入孔が穿設され、
前記第３の角度調整板を貫通して前記第１の螺入孔および前記第２の螺入孔に螺入する前記第１のねじにより少なくとも該第３の角度調整板のフェース側が前記ソール凹み部の底面に密着して固定され、
前記第３の螺入孔に螺入する前記第１のねじまたは前記第３の角度調整板を貫通して該第３の螺入孔に螺入する前記第２のねじにより該第３の角度調整板の中央部分が該第１のねじの頭部に前記ソール凹み部の底面側から押圧されまたは該第２のねじの頭付き親ねじの頭部と頭付き子ねじの頭部に挟持されて該第３の角度調整板の中央部分が前記ソール面に対し所定の高さに突出することにより該第３の角度調整板が前記ソール面に対し所望の角度を以って固着される、ことを特徴とする請求項１ないし請求項３に記載のゴルフクラブヘッド。
【発明の詳細な説明】
【技術分野】
【０００１】
本願発明は、ゴルフクラブヘッドに関し、とくにロフト角等の調整可能なゴルフクラブヘッドに関する。
【背景技術】
【０００２】
ゴルフクラブのロフト角、ライ角およびフェース角（以下、「ロフト角等」という。）は、プレイヤーの体型やプレイスタイルに応じて様々なものが要求されるため、ゴルフクラブ購入後であってもロフト角等を変えることができるゴルフクラブが提案されている。
【０００３】
たとえば、特開２００１-４６５５７号公報に開示された発明があるが、この発明は、ゴルフクラブのライ角をプレイヤーの体形や好みに応じて容易に変えることができるゴルフクラブを提供することを目的としていて、その構成を、クラブゴルフクラブヘッドの内部に傾斜状態で固定されるプレートと、このプレートに穿設されてクラブシャフトの傾斜角をガイドするガイド孔と、このガイド孔に対応してクラブゴルフクラブヘッドの挿入状態で取り付けられるシャフト固定管と、このシャフト固定管に挿入された状態で固定されるクラブシャフトと、からなるものとしている。
【０００４】
この特開２００１-４６５５７号公報に開示のゴルフクラブは、プレートに穿設されたガイド孔の位置と数（実施例では５箇所に穿設されている。）によって、ゴルフクラブのライ角が断続的に定まり、ライ角を連続的に微妙に変えることはできない。
この問題点を解決すべく、本願出願人は、ゴルフクラブのロフト角等を任意に変える技術を提案していて、その技術の１つは、特開２００２-２８２４００号公報に開示され、１つは現在出願中であって（特願２００６-５３１３０８）、ＷＯ２００６／０１８９２９号公報に国際公開されている。
【０００５】
特開２００３-６２１３１号公報に開示の発明の構成については、図８を基に概説する。なお、図８は、特開２００３-６２１３１号公報に開示の実施例に係るゴルフクラブヘッドの見上げ図（図８（ａ））および側面図（図８（ｂ））である。
ゴルフクラブヘッド１０１のソール面１０２には側面から見て一方向にテーパーのついた円盤２０３が回動自在に添着されていて、この円盤１０３を回動させることにより、ゴルフクラブのロフト角等が変化し、所望の円盤１０３の回動位置で円盤１０３をゴルフクラブヘッド１０１のソール面１０２に固定させるものである。
【０００６】
そして、特願２００６-５３１３０８号に係る発明は、「後加工でゴルフクラブのロフト角、フェース角およびウエイトをプレイヤーの体形や好みに応じて容易に、かつ、微妙に変えることができ、公式競技でも使用可能なゴルフクラブを提供する。」ことを目的としていて、この目的を達成するために採用した構成について、図９を基に概説する。なお、図９は、実施例に係るロフト角等の調整可能なゴルフクラブのヘッドのソール面の部分断面図である。
【０００７】
ゴルフクラブヘッド２０１のソール面２１０には平面から見た形状がフェース２１２側の１辺がバックフェース２１４側の１辺よりも長い略台形のソール凹み部２２４が凹設されていて、ソール凹み部２２４に平面の形状が略同一のソールウエイト２２８が嵌合している。このソールウエイト２２８は略台形の縁部から立上る周壁を有し、フェース２１２側の周壁の高さよりもバックフェース２１４側の周壁の高さのほうが高くなるように形成されている。
そして、ソールウエイト２２８は２個の頭付ボルト２４０によりソール面２１０に対する突出高さが調整されて止めビス２３６により、ソールウエイト２２８の突出高さが固定されるようになっている。
【特許文献１】特開２００１-４６５５７号公報
【特許文献２】特開２００３-６２１３１号公報
【特許文献３】ＷＯ２００６／０１８９２９号公報
【発明の開示】
【発明が解決しようとする課題】
【０００８】
しかしながら、特開２００３-６２１３１号公報に開示の発明は、ゴルフクラブヘッド２０１のソール面２０２に添着された円盤２０３を回動させることにより、ロフト角等を変えるものであるため、ゴルフ規則のゴルフクラブに関する付属規則に抵触する恐れがあって、公式競技で使用することは難しい。
また、特願２００６-５３１３０８号の発明は、ゴルフクラブ購入後にゴルフクラブのロフト角等をプレイヤーの体形や好みに応じて容易に、かつ、微妙に変えることができ、公式競技でも使用可能なゴルフクラブではあるが、ソールウエイト３２８を縁部から立上る周壁を有するボックス型としているため、ソールウエイト３２８内に水が滞留する恐れがあるとともに、ソールウエイト３２８の周壁がソール凹み部２２４の底面に線接触しているため、線接触しているソール凹み部２２４の底面に過大な押圧力が掛かる恐れがある。
【０００９】
そこで、本願発明は、ゴルフクラブ購入後であってもゴルフクラブのロフト角等をプレイヤーの体形や好みに応じて容易に、かつ、プレイヤー自身やゴルフショップなどがプレー中以外で微妙に変えることができるとともに、公式競技でも使用可能で降水中に使用しても水が滞留する恐れがなく、ソール凹み部の底面に過大な押圧力が掛かる恐れがないゴルフクラブを提供することを目的とする。
【課題を解決するための手段】
【００１０】
本願請求項１に係るゴルフクラブヘッドは、ゴルフクラブヘッドのソール面に凹設され該ソール面に対し該ゴルフクラブヘッドのフェース側がバックフェース側と同一の深さまたはフェース側がバックフェース側よりも浅くなるように形成された底面を有し所定の平面形状を有するソール凹み部と、平面形状が前記ソール凹み部の平面形状と略同一であって該ソール凹み部に着脱可能に嵌合する表面が平滑な第１の角度調整板、第２の角度調整板または第３の角度調整板の内のいずれか１つの板状の角度調整板と、前記角度調整板をソール凹み部に嵌着させる頭付きねじである第１のねじおよび／または中心軸に螺入孔が穿設された頭付き親ねじと該螺入孔に螺入する頭付き子ねじからなる第２のねじと、からなり、前記角度調整板を貫通する前記第１のねじおよび／または第２のねじを介して前記ソール凹み部に嵌着された該角度調整板のフェース側の高さは前記ソール面に略面一であるとともに該角度調整板のフェース側は該ソール凹み部の底面に面で密着し、該角度調整板のバックフェース側および／または該角度調整板の前記ゴルフクラブヘッドのフェース面に略平行な中央部分は該ソール面に対し所定の高さに突出することにより該角度調整板が前記ソール面に対し所望の角度で固着され、前記第１の角度調整板は１枚の板からなりバックフェース側に向けてその板厚が略同一または徐々に厚くなるとともに前記ソール凹み部の底面に該第１の角度調整板のフェース側が面で密着して嵌合したときにバックフェース側には該第１の角度調整板と該ソール凹み部の底面との間に所定の間隙を有するように形成され、前記第２の角度調整板は上部角度調整板と下部角度調整板とからなり該上部角度調整板は前記第１の角度調整板と略同一形であり該下部角度調整板は板厚が略同一の平板であって該角度調整板のフェース側が一体となりバックフェース側の上部角度調整板と下部角度調整板との間に所定の間隙を有するように形成され、前記第３の角度調整板は１枚の板からなりフェース側とバックフェース側との間の中央部分はフェース側およびバックフェース側よりもその板厚が薄くなるとともに前記ソール凹み部に該第３の角度調整板が嵌合したときに該中央部分には該第３の角度調整板と該ソール凹み部の底面との間に所定の間隙を有するように形成される、ことを特徴としている。
なお、「面一」とは、ソール面に対する角度調整板のフェースの高さが「０」である場合をいい、「面で密着」とは、角度調整板のソール凹み部の底面側とソール凹み部の底面とが面で接触して密着することをいう。また、所定の高さには略「０」である場合を含む。
また、本願特許請求の範囲、明細書および図面における「上」、「下」および「底」の概念は、ソール面を上向きにしたときの状態のものをいう。
そして、本願請求項２に係るゴルフクラブヘッドは、請求項１に記載のゴルフクラブヘッドであって、前記ソール凹み部の平面形状はフェース面に略平行な一辺と該一辺の両端からバックフェース側に向かって延伸する左右の辺を有し該左右の辺はバックフェース側で連結される、ことを特徴としている。
さらに、本願請求項３に係るゴルフクラブヘッドは、請求項２に記載のゴルフクラブヘッドであり、前記左右の辺は直線および／または曲線であって該左右の辺間の前記一辺に平行な幅は略同一またはバックフェース側に向けて徐々に狭まるように形成され該左右の辺の先端部はフェース面またはバックフェース面に略平行に曲折されて連結される、ことを特徴としている。
また、本願請求項４に係るゴルフクラブヘッドは、請求項１ないし請求項３に記載のゴルフクラブヘッドであって、前記ソール凹み部の底面にはフェース側に第１の螺入孔およびバックフェース側に第２の螺入孔が穿設され、前記第１の角度調整板を貫通して前記第１の螺入孔に螺入する前記第１のねじにより該第１の角度調整板のフェース側が前記ソール凹み部の底面に面で密着して固定され、前記第１の角度調整板を貫通して前記第２の螺入孔に螺入する前記第２のねじにより該第１の角度調整板のバックフェース側が該第２のねじの頭付き親ねじの頭部と頭付き子ねじの頭部に挟持されて前記ソール面に対し所定の高さに突出することにより該第１の角度調整板が前記ソール面に対し所望の角度で固着される、ことを特徴としている。
そして、本願請求項５に係るゴルフクラブヘッドは、請求項１ないし請求項３に記載のゴルフクラブヘッドであって、前記ソール凹み部の底面にはフェース側に第１の螺入孔、バックフェース側に第２の螺入孔および該第１の螺入孔と該第２の螺入孔の中間部に第３の螺入孔が穿設され、前記第１の角度調整板を貫通して前記第１の螺入孔に螺入する前記第１のねじにより該第１の角度調整板のフェース側が前記ソール凹み部の底面に面で密着して固定され、前記第１の角度調整板を貫通して前記第２の螺入孔に螺入する前記第１のねじまたは前記第２のねじにより該第１の角度調整板のバックフェース側が該第１のねじの頭部に押圧されまたは該第２のねじの頭付き親ねじの頭部と頭付き子ねじの頭部に挟持されて該第１の角度調整板のバックフェース側が前記ソール面に対し所定の高さに突出して固定され、前記第３の螺入孔に螺入する前記第１のねじまたは前記第１の角度調整板を貫通して該第３の螺入孔に螺入する前記第２のねじにより該第１の角度調整板の中央部分が該第１のねじの頭部に前記ソール凹み部の底面側から押圧されまたは該第２のねじの頭付き親ねじの頭部と頭付き子ねじの頭部に挟持されて該第１の角度調整板の中央部分が前記ソール面に対し所定の高さに突出することにより該第１の角度調整板が前記ソール面に対し所望の角度を以って固着される、ことを特徴としている。
さらに、本願請求項６に係るゴルフクラブヘッドは、請求項１ないし請求項３に記載のゴルフクラブヘッドであって、前記ソール凹み部の底面にはフェース側に第１の螺入孔およびバックフェース側に第２の螺入孔が穿設され、前記第１の角度調整板を貫通して前記第１の螺入孔に螺入する前記第１のねじにより該第１の角度調整板のフェース側が前記ソール凹み部の底面に密着して固定され、前記第１の角度調整板を貫通して前記第２の螺入孔に螺入する前記第１のねじまたは前記第２のねじにより該第１の角度調整板のバックフェース側が該第１のねじの頭部に押圧されまたは該第２のねじの頭付き親ねじの頭部と頭付き子ねじの頭部に挟持されて固定され、前記所定の間隙内に挿入され側面から見た形状が前記ソール凹み部の底面の反対側に突出する突出部を有する突出高さ調整金物にバックフェース側から挿通された連結棒が連結されて該連結棒を介して該突出高さ調整金物がフェース〜バックフェース方向に摺動して前記第１の角度調整板の中央部分が該突出高さ調整金物に押圧されて前記ソール面に対し所定の高さに突出することにより該第１の角度調整板が前記ソール面に対し所望の角度を以って固着される、ことを特徴としている。
また、本願請求項７に係るゴルフクラブヘッドは、請求項１ないし請求項３に記載のゴルフクラブヘッドであって、前記ソール凹み部の底面にはフェース側に第１の螺入孔およびバックフェース側に第２の螺入孔が穿設され、前記第２の角度調整板を貫通して前記第１の螺入孔に螺入する前記第１のねじにより該第２の角度調整板のフェース側が前記ソール凹み部の底面に密着して固定され、前記第２の角度調整板を貫通して前記第２の螺入孔に螺入する前記第２のねじにより前記上部角度調整板のバックフェース側が該第２のねじの頭付き親ねじの頭部と頭付き子ねじの頭部に挟持されて該上部角度調整板のバックフェース側が前記ソール面に対し所定の高さに突出することにより該第２の角度調整板が前記ソール面に対し所望の角度を以って固着される、ことを特徴としている。
そして、本願請求項８に係るゴルフクラブヘッドは、請求項１ないし請求項３に記載のゴルフクラブヘッドであって、前記ソール凹み部の底面にはフェース側に第１の螺入孔、バックフェース側に第２の螺入孔および該第１の螺入孔と該第２の螺入孔の中間部に第３の螺入孔が穿設され、前記第２の角度調整板を貫通して前記第１の螺入孔に螺入する前記第１のねじにより該第２の角度調整板のフェース側が前記ソール凹み部の底面に密着して固定され、前記第２の角度調整板を貫通して前記第２の螺入孔に螺入する前記第１のねじまたは前記第２のねじにより前記上部角度調整板のバックフェース側が該第１のねじの頭部に押圧されまたは該第２のねじの頭付き親ねじの頭部と頭付き子ねじの頭部に挟持されて該上部角度調整板のバックフェース側が前記ソール面に対し所定の高さに突出して固定され、前記第３の螺入孔に螺入する前記第１のねじまたは前記第２の角度調整板を貫通して該第３の螺入孔に螺入する前記第２のねじにより前記上部角度調整板の中央部分が該第１のねじの頭部に前記ソール凹み部の底面側から押圧されまたは該第２のねじの頭付き親ねじの頭部と頭付き子ねじの頭部に挟持されて該上部角度調整板の中央部分が前記ソール面に対し所定の高さに突出することにより前記第２の角度調整板が前記ソール面に対し所望の角度を以って固着される、ことを特徴としている。
さらに、本願請求項９に係るゴルフクラブヘッドは、請求項１ないし請求項３に記載のゴルフクラブヘッドであって、前記ソール凹み部の底面にはフェース側に第１の螺入孔およびバックフェース側に第２の螺入孔が穿設され、前記第２の角度調整板を貫通して前記第１の螺入孔に螺入する前記第１のねじにより該第２の角度調整板のフェース側が前記ソール凹み部の底面に密着して固定され、前記第２の角度調整板を貫通して前記第２の螺入孔に螺入する前記第１のねじまたは前記第２のねじにより前記上部角度調整板のバックフェース側が該第１のねじの頭部に押圧されまたは該第２のねじの頭付き親ねじの頭部と頭付き子ねじの頭部に挟持されて該上部角度調整板のバックフェース側が前記下部角度調整板に対し所定の間隙を以って固定され、前記所定の間隙内に挿入され側面から見た形状が前記ソール凹み部の底面の反対側に突出する突出部を有する突出高さ調整金物にバックフェース側から挿通された連結棒が連結されて該連結棒を介して該突出高さ調整金物がフェース〜バックフェース方向に摺動して前記第２の角度調整板の中央部分が該突出高さ調整金物に押圧されて前記ソール面に対し所定の高さに突出することにより該第２の角度調整板が前記ソール面に対し所望の角度を以って固着される、ことを特徴としている。
また、本願請求項１０に係るゴルフクラブヘッドは、請求項１ないし請求項３に記載のゴルフクラブヘッドであって、前記ソール凹み部の底面にはフェース側に第１の螺入孔、バックフェース側に第２の螺入孔および該第１の螺入孔と該第２の螺入孔の中間部に第３の螺入孔が穿設され、前記第３の角度調整板を貫通して前記第１の螺入孔および前記第２の螺入孔に螺入する前記第１のねじにより少なくとも該第３の角度調整板のフェース側が前記ソール凹み部の底面に密着して固定され、前記第３の螺入孔に螺入する前記第１のねじまたは前記第３の角度調整板を貫通して該第３の螺入孔に螺入する前記第２のねじにより該第３の角度調整板の中央部分が該第１のねじの頭部に前記ソール凹み部の底面側から押圧されまたは該第２のねじの頭付き親ねじの頭部と頭付き子ねじの頭部に挟持されて該第３の角度調整板の中央部分が前記ソール面に対し所定の高さに突出することにより該第３の角度調整板が前記ソール面に対し所望の角度を以って固着される、ことを特徴としている。
なお、ソール面に対する「所定の高さ」については、ゴルフ規則等において制限が課せられた場合には、当該制限内とすることは勿論である。
【発明の効果】
【００１１】
本願各請求項に係る発明は上記の構成により以下の効果を奏する。
（１）本願請求項１および本願請求項３に係るゴルフクラブヘッドは、ゴルフクラブヘッドのソール面に凹設されたソール凹み部に角度調整板が嵌合して当該角度調整板のフェース側の高さはソール面に略面一とし、バックフェース側またはフェース側およびバックフェース側との間の中央部分をソール面に対し所定の高さに突出させて当該角度調整板をソール面に対し所望の角度で固着させることとしている。このため、ゴルフクラブ購入後であってもプレイヤー自身やゴルフショップなどでゴルフクラブのロフト角等をプレイヤーの体形や好みに応じて容易に、かつ、微妙に変えることができるとともに、公式競技でも使用可能なゴルフクラブとすることができる。また、角度調整板はソール凹み部の底面に面で密着するため、ソール凹み部の底面に過大な押圧力が掛かる恐れがなく耐久性が向上する。
なお、前述したようにロフト角等とは、ロフト角、ライ角およびフェース角をいうが、実際にはライ角およびフェース角の角度調整は、ソール面の角度とゴルフクラブヘッドに挿入されるシャフトの傾きとの相互作用により可能になる。
（２）本願各請求項に係るゴルフクラブヘッドに使用する第１の角度調整板、第２の角度調整板または第３の角度調整板のいずれも板状の角度調整板であるため、たとえ、ソール凹み部内に水が入り込んでも滞留する恐れがない。
（３）第１の角度調整板および第３の角度調整板は１枚の板であるため、その構成も構造も単純であり加工が容易である。また、第２の角度調整板は上部角度調整板と下部角度調整板とを併せた形状であり、かつ、下部角度調整板は平板であるのでその構造は単純であり加工が容易であるとともに、下部角度調整板はソール凹み部の底面に密着することになるので角度調整板はより強固にソール凹み部に固定される。なお、角度調整板は、金属製とした場合は勿論であるが、合成樹脂製とした場合には、より容易に加工することができる。また、合成樹脂製とする場合は、炭素繊維や金属繊維で補強することが好ましい。
（４）本願請求項４および本願請求項７に係るゴルフクラブヘッドでは、バックフェース側がソール面に対し所定の高さに突出することにより角度調整板がソール面に対し所望の角度を以って固着されることとしていて、第１のねじおよび第２のねじの２個のねじにより角度調整板を嵌着させているため、構成部材が少なくその構造も簡単でありソール面に対する角度調整板の角度調整が簡単にできる。
（５）本願請求項５、本願請求項８および本願請求項１０に係るゴルフクラブヘッドでは、角度調整板の中央部分がソール面に対し所定の高さに突出することにより、角度調整板をソール面に対し所望の角度を以って固着することとしている。このため、ソール面に対する「所定の高さ」について制限が課せられた場合であっても、ソール面に対する角度調整板の角度調整を前記の本願請求項４および本願請求項７に係るゴルフクラブヘッドよりも広い範囲でできることになる。
（６）本願請求項６および本願請求項９に係るゴルフクラブヘッドでは、角度調整板の中央部分のソール面に対する所定の高さに突出させる手段として、所定の間隙内に挿入した突出部を有する突出高さ調整金物に拠っている。このため、第１の螺入孔および第２の螺入孔に螺入する第１のねじおよび／または第２のねじで角度調整板のフェース側およびバックフェース側を固定した後でも、あるいは、フェース側およびバックフェース側間の任意の位置でソール面に対する所定の高さの調整をすることができる。
【発明を実施するための最良の形態】
【００１２】
本発明を実施するための最良の形態に係る実施例１ないし実施例４について、図１ないし図７に基づいて説明する。
なお、図１は、実施例１および実施例２に係るゴルフクラブヘッドのソール面の斜視図であり、図２は、実施例１に係るゴルフクラブヘッドの図１におけるＩ−Ｉ矢視断面図であり、図３は、実施例２に係るゴルフクラブヘッドの図１におけるＩ−Ｉ矢視断面図であり、図４は、実施例３および実施例４に係るゴルフクラブヘッドのソール面の斜視図であり、図５は、実施例３に係るゴルフクラブヘッドの図４におけるIV−IV矢視断面図であり、図６は、実施例４に係るゴルフクラブヘッドの図４におけるIV−IV矢視断面図であり、図７は、実施例に係るゴルフクラブヘッドに使用する第１のねじおよび第２のねじの側面図であり、図７（ａ）は第１のねじの側面図、図７（ｂ）は第２のねじの側面図、である。
【００１３】
図１ないし図７において、符号１は実施例１に係るゴルフクラブヘッド、符号２は実施例２に係るゴルフクラブヘッド、符号３は実施例３に係るゴルフクラブヘッド、符号４は実施例４に係るゴルフクラブヘッド、符号１１はソール面、符号１３はフェース、符号１５はバックフェース、符号１７はソール凹み部、符号２１は第１の螺入孔、符号２２は第２の螺入孔、符号２３は第３の螺入孔、符号２５は挿通孔、符号３１は第１の角度調整板、符号３２は第２の角度調整板、符号３２１は上部角度調整板、符号３２３は下部角度調整板、符号３３は第３の角度調整板、符号３５は間隙、符号４１は第１のねじ、符号４２は第２のねじ、符号４２１は頭付き親ねじ、符号４２３は頭付き子ねじ、符号４５は突出高さ調整金物、符号４７は連結棒、である。
【実施例１】
【００１４】
まず、実施例１に係るゴルフクラブヘッド１について、図１、図２および図７を基に説明する。
【００１５】
実施例１に係るゴルフクラブは、ゴルフクラブヘッド１とその一端にグリップが装着されたシャフト（図示外）とからなるが、本願各発明は、ゴルフクラブヘッドのソール部に特徴があるので、以下の説明ではゴルフクラブヘッドのソール部について説明する。
【００１６】
ゴルフクラブヘッド１のソール面１１には、平面から見た形状が略台形を呈するソール凹み部１７が凹設されている。この略台形は、フェース１３側の１辺をフェース１３面に略平行な曲線とし、バックフェース１５側の一辺をバックフェース１５面に略平行な曲線としていて、かつ、フェース１３側の一辺はバックフェース１５側の１辺よりも長く、フェース１３側の一辺の両端およびバックフェース１５側の一辺の両端をそれぞれ結んだ左右の辺は略直線になっている。そして、ソール凹み部１７は略垂直に凹んでいて、その凹みの深さは、フェース１３側よりバックフェース１５側が深くなっている。なお、ソール凹み部１７の面の形状や凹みの深さは、適宜変えることができ、たとえば、ソール凹み部１７の左右の辺間の距離（フェース１３側の一辺に平行な幅）をバックフェース１５側に向けて徐々に狭まるように曲線状にして内側に向けて凹ましても良い。
そして、ソール凹み部１７の底面のフェース１３側とバックフェース１５側には、それぞれ内周面に雌ねじが螺刻された第１の螺入孔２１と第２の螺入孔２２が穿設されている。
【００１７】
実施例１に使用する第１の角度調整板３１の平面から見た形状は、ソール凹み部１７の平面形状と略同一になるように形成されていて、ソール凹み部１７に嵌合するようになっている。そして、第１の角度調整板３１の側面から見た形状は、バックフェース１５側に向けてその板厚が徐々に厚くなるとともに第１の角度調整板３１のフェース１３側がソール凹み部１７の底面に密着して嵌合したときにバックフェース１５側には第１の角度調整板３１とソール凹み部１７の底面との間に所定の間隙３５を有するように形成されている。さらに、第１の角度調整板３１をソール凹み部１７に嵌合したときの第１の螺入孔２１と第２の螺入孔２２に対応する第１の角度調整板３１には、第１のねじ４１および第２のねじ４２が貫通する貫通孔が貫設されている。
【００１８】
第１のねじ４１は頭部を有する頭付きのねじであって、実施例ではこの頭部が背の低い円筒形の平頭となっている。そして、第２のねじ４２はいずれも頭部を有する頭付き親ねじ４２１と頭付き子ねじ４２３からなっていて、頭付き子ねじ４２３は第１のねじ４１と同様の形状を呈し、頭付き親ねじ４２１の中心軸に穿設された螺入孔に螺入するようになっている。なお、実施例では頭付き親ねじ４２１の頭部が半球に近い形の丸頭となっている。
【００１９】
ここで、ゴルフクラブヘッド１のロフト角等の調整方法についての手順例について説明する。
【００２０】
（１）第２の螺入孔２２に第２のねじ４２の頭付き親ねじ４２１のみを螺入させ、第１の角度調整板３１がソール凹み部１７に嵌着したときに第１の角度調整板３１のバックフェース１５側が所定の高さに突出するように頭付き親ねじ４２１の頭部の高さを調整する。
頭付き親ねじ４２１を螺入させるときには、頭付き親ねじ４２１のねじ部の表面に樹脂を塗布しておく。
（２）第１の角度調整板３１をソール凹み部１７に嵌合させ、第１の角度調整板３１を貫通させ第１の螺入孔２１に第１のねじ４１を螺入させて、ソール凹み部１７の底面に第１の角度調整板３１を密着させて固定する。
この状態において、第１の角度調整板３１のフェース１３側の表面はソール面１１と面一となる。
（３）第１の角度調整板３１を貫通して第２のねじ４２の頭付き子ねじ４２３を頭付き親ねじ４２１の螺入孔に螺入させ、さらに頭付き子ねじ４２３を締め付ける。これにより第１の角度調整板３１のバックフェース１５側が第２のねじ４２の頭付き親ねじ４２１の頭部と頭付き子ねじ４２３の頭部に挟持されて確りと固定されるとともに第１の角度調整板３１のバックフェース１５側が所定の高さに突出することになる。
なお、前記の手順（１）で、頭付き親ねじ４２１のねじ部の表面に塗布した樹脂の作用により、頭付き子ねじ４２３を締め付けても頭付き親ねじ４２１が共回りすることはない。
【００２１】
以上の手順を経て、床上に置いたゴルフクラブヘッド１のソール面１１の角度が調整され、ゴルフクラブヘッド１のロフト角等が調整されるが、調整後の第１の角度調整板３１の表面は、側面から見て直線となることは少なく、多くの場合は外側に凹や凸の曲線となる。
【実施例２】
【００２２】
つぎに、実施例２に係るゴルフクラブヘッド２について、図１、図３および図７を基に説明するが、実施例２は実施例１と略同様の構成であり、異なるところは角度調整板の構造であるので、主に、第２の角度調整板３２について説明する。
【００２３】
実施例２に使用する第２の角度調整板３２は、上部角度調整板３２１および下部角度調整板３２３から構成されていて、第２の角度調整板３２の平面から見た形状は、上部角度調整板３２１も下部角度調整板３２３もソール凹み部１７の平面形状と略同一になるように形成されていて、ソール凹み部１７に嵌合するように形成されている。
そして、第２の角度調整板３２の側面から見た形状は、上部角度調整板３２１が第１の角度調整板３２と略同様に形成され下部角度調整板３２３は板厚が略同一に形成されて、第２の角度調整板３２のフェース１３側が一体となり、バックフェース１５側の上部角度調整板３２１と下部角度調整板３２３との間には所定の間隙３５を有するように形成されている。さらに、第２の角度調整板３２をソール凹み部１７に嵌合させたときの第１の螺入孔２１と第２の螺入孔２２に対応する上部角度調整板３２１には、第１のねじ４１および第２のねじ４２が貫通する貫通孔が貫設されるとともに下部角度調整板３２１にも第２のねじ４２が貫通する貫通孔が貫設されている。
【００２４】
第１のねじ４１および第２のねじ４２については、実施例１で説明したので省略する。また、実施例２に係るゴルフクラブヘッド２のロフト角等の調整方法についての手順例についても、実施例１と同様であるのでその説明を省略する。
【００２５】
実施例１と同様の手順を経て、床上に置いたゴルフクラブヘッド２のソール面１１の角度が調整され、ゴルフクラブヘッド２のロフト角等が調整されるが、第２の角度調整板３２は下部角度調整板３２１により、より強固にソール凹み部１７に固着する。
【実施例３】
【００２６】
つぎに、実施例３に係るゴルフクラブヘッド３について、図４、図５および図７を基に説明するが、実施例３は実施例１や実施例２と同様の構成も多いので、ここでは異なるところを、主に説明する。
【００２７】
ゴルフクラブヘッド３のソール面１１に凹設されるソール凹み部１７の形状と構成については、実施例１と同様であるが、実施例３におけるソール凹み部１７のバックフェース１５側には、フェース１３〜バックフェース１５方向に並行に２つの挿通孔２５、２５が貫設されている。
また、実施例３で使用する第１の角度調整板３１の形状と構成については、実施例１と同様であるのでその説明を省略するが、第１の角度調整板３１に代えて実施例２で使用した第２の角度調整板３２を使用しても良い。さらに、第１のねじ４１および第２のねじ４２についても、実施例１で説明したが、第２の螺入孔２２に螺入させる第２のねじ４２に代えて第１のねじ４１を使用しても良い。
【００２８】
実施例３で使用する突出高さ調整金物４５は、平面から見ると略矩形であり、側面から見るとテーパーの付いた楔状となっている。そして、突出高さ調整金物４５には、フェース１３〜バックフェース１５方向に並行に２つの螺入孔が穿設されていて、この２つの螺入孔のそれぞれに丸棒の先端部に雄ねじが螺刻された連結棒４７、４７が螺入されるようになっている。なお、側面から見た突出高さ調整金物４５は楔形以外に、たとえば中央部が盛り上がった山形であっても良い。
【００２９】
ここで、ゴルフクラブヘッド３のロフト角等の調整方法についての手順例について説明する。
【００３０】
（１）第２の螺入孔２２に第２のねじ４２の頭付き親ねじ４２１のみを螺入させ、第１の角度調整板３１がソール凹み部１７に嵌着したときに第１の角度調整板３１のバックフェース１５側が所定の高さに突出するように頭付き親ねじ４２１の頭部の高さを調整する。
頭付き親ねじ４２１を螺入させるときには、頭付き親ねじ４２１のねじ部の表面に樹脂を塗布しておく。
（２）ソール凹み部１７の底面上に突出高さ調整金物４５を仮置きし、連結棒４７、４７を挿通孔２５、２５から挿通させて突出高さ調整金物４５に穿設された螺入孔に螺入させるとともに、突出高さ調整金物４５をフェース１３〜バックフェース１５方向に摺動させて、所定の位置にセットする。
（３）第１の角度調整板３１をソール凹み部１７に嵌合させ、第１のねじ４１を第１の角度調整板３１を貫通させ、第１の螺入孔２１に螺入させる。さらに第１のねじ４１を締め付けるとソール凹み部１７の底面に第１の角度調整板３１が密着して固定される。
この状態において、第１の角度調整板３１のフェース１３側の表面はソール面１１と面一となる。
（４）第１の角度調整板３１を貫通して第２のねじ４２の頭付き子ねじ４２３を頭付き親ねじ４２１の螺入孔に螺入させ、さらに頭付き子ねじ４２３を締め付ける。これにより第１の角度調整板３１のバックフェース１５側が第２のねじ４２の頭付き親ねじ４２１の頭部と頭付き子ねじ４２３の頭部に挟持されて確りと固定されるとともに、第１の角度調整板３１の中央部分（突出高さ調整金物４５の突出部分が第１の角度調整板３１に当接した部分）が所定の高さに突出することになる。
なお、前記の手順（１）で、頭付き親ねじ４２１のねじ部の表面に塗布した樹脂の作用により、頭付き子ねじ４２３を締め付けても頭付き親ねじ４２１が共回りすることはない。
（５）その後、連結棒４７を右回りに回転させると、連結棒４７は突出高さ調整金物４５から外れるのでそのまま引き抜き、必要に応じて挿通孔２５に蓋（図示外）を被せる。
【００３１】
以上の手順を経て、床上に置いたゴルフクラブヘッド３のソール面１１の角度が調整され、ゴルフクラブヘッド３のロフト角等が調整されるが、調整後の第１の角度調整板３１の表面は外側に凸の曲面となる。
【実施例４】
【００３２】
つぎに、実施例４に係るゴルフクラブヘッド４について、図４、図６および図７を基に説明するが、実施例４は実施例１ないし実施例２と同様の構成も多いので、ここでは異なるところを、主に説明する。
【００３３】
ゴルフクラブヘッド４のソール面１１に凹設されるソール凹み部１７の形状と構成については、実施例１と同様であるが、実施例４におけるソール凹み部１７の底面には第１の螺入孔２１および第２の螺入孔２２以外に第１の螺入孔２１および第２の螺入孔２２との間に第３の螺入孔２３が穿設されている。
実施例４では、第１の螺入孔２１、第２の螺入孔２２および第３の螺入孔２３に螺入するねじにいずれも第１のねじ４１を使用しているが、第２の螺入孔２２および第３の螺入孔２３に螺入するねじを第１のねじ４１に代えて第２のねじ４２としても良い。また、実施例４では、第３の螺入孔２３に螺入する第１のねじ４１の頭部を半球に近い形の丸頭としているが、他の第１のねじ４１の頭部と同様に平頭としても良い。
【００３４】
実施例４に使用する第３の角度調整板３３は１枚の板からなり、その平面から見た形状は、ソール凹み部１７の平面形状と略同一になるように形成されていて、ソール凹み部１７に嵌合するように形成されている。そして、第３の角度調整板３３の側面から見た形状は、フェース１３側およびバックフェース１５側との間の中央部分はフェース１３側およびバックフェース１５側よりもその板厚が薄くなるとともに、ソール凹み部１７にこの第３の角度調整板３３が嵌合したときに中央部分には第３の角度調整板３３とソール凹み部１７の底面との間に所定の間隙３５を有するように形成されている。
さらに、第３の角度調整板３３をソール凹み部１７に嵌合させたときの第１の螺入孔２１と第２の螺入孔２２に対応する箇所には、第１のねじ４１が貫通する貫通孔が貫設されている。なお、第３の螺入孔２３に螺入するねじを第２のねじ４２とした場合には、第３の螺入孔２３に対応する箇所に第２のねじ４２が貫通する貫通孔を貫設することになる。
【００３５】
ここで、実施例４に係るゴルフクラブヘッド４のロフト角等の調整方法についての手順例について説明する。
【００３６】
（１）第３の螺入孔２３に第１のねじ４１を螺入させ、第３の角度調整板３３がソール凹み部１７に嵌着したときに第３の角度調整板３３の中央部分が所定の高さに突出するように第１のねじ４１の頭部の高さを調整する。
（２）第３の角度調整板３３をソール凹み部１７に嵌合させ、第３の角度調整板３３を貫通させて第１のねじ４１を第１の螺入孔２１に螺入させ、さらに、第１のねじ４１を締め付けると、ソール凹み部１７の底面に第３の角度調整板３３が密着して固定される。
この状態において、第３の角度調整板３３のフェース１３側の表面はソール面１１と面一となる。
（３）第３の角度調整板３３を貫通させて第１のねじ４１を第２の螺入孔２２に螺入させ第１のねじ４１を締め付ける。第１のねじ４１を締め付けることにより第３の角度調整板３３の中央部分は、第３の螺入孔２３に螺入した第１のねじ４１の頭部に押圧されて所定の高さに突出する。
【００３７】
以上の手順を経て、床上に置いたゴルフクラブヘッド４のソール面１１の角度が調整され、ゴルフクラブヘッド４のロフト角等が調整されるが、調整後の第１の角度調整板３１の表面は実施例３と同様に外側に凸の曲面となる。
【図面の簡単な説明】
【００３８】
【図１】図１は、実施例１および実施例２に係るゴルフクラブヘッドのソール面の斜視図である。
【図２】図２は、実施例１に係るゴルフクラブヘッドの図１におけるＩ−Ｉ矢視断面図である。
【図３】図３は、実施例２に係るゴルフクラブヘッドの図１におけるＩ−Ｉ矢視断面図である。
【図４】図４は、実施例３および実施例４に係るゴルフクラブヘッドのソール面の斜視図である。
【図５】図５は、実施例３に係るゴルフクラブヘッドの図４におけるIV−IV矢視断面図である。
【図６】図６は、実施例４に係るゴルフクラブヘッドの図４におけるIV−IV矢視断面図である。
【図７】図７は、実施例に係るゴルフクラブヘッドに使用する第１のねじおよび第２のねじの側面図であり、図７（ａ）は第１のねじの側面図、図７（ｂ）は第２のねじの側面図である。
【図８】図８（ａ）は、特開２００３-６２１３１号公報に開示の実施例に係るゴルフクラブヘッドの見上げ図であり、図８（ｂ）は側面図である。
【図９】特願２００６-５３１３０８号に係る発明の実施例に係るロフト角等の調整可能なウッド型ゴルフクラブのヘッドのソール面の部分断面図である。
【符号の説明】
【００３９】
１  実施例１に係るゴルフクラブヘッド
２  実施例２に係るゴルフクラブヘッド
３  実施例３に係るゴルフクラブヘッド
４  実施例４に係るゴルフクラブヘッド
１１  ソール面
１３  フェース
１５  バックフェース
１７  ソール凹み部
２１  第１の螺入孔
２２  第２の螺入孔
２３  第３の螺入孔
２５  挿通孔
３１  第１の角度調整板
３２  第２の角度調整板
３２１  上部角度調整板
３２３  下部角度調整板
３３  第３の角度調整板
３５  間隙
４１  第１のねじ
４２  第２のねじ
４２１  頭付き親ねじ
４２３  頭付き子ねじ
４５  突出高さ調整金物
４７  連結棒
【図１】
2008272274.tif 000003
【図２】
2008272274.tif 000004
【図３】
2008272274.tif 000005
【図４】
2008272274.tif 000006
【図５】
2008272274.tif 000007
【図６】
2008272274.tif 000008
【図７】
2008272274.tif 000009
【図８】
2008272274.tif 000010
【図９】
2008272274.tif 000011
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
実施例４に係るゴルフクラブヘッドは、ソール面に凹設される凹み部が該ソール面に対して該ゴルフクラブヘッドのフェース側がバックフェース側と同一の深さまたはフェース側がバックフェース側よりも浅くなるように形成された底面を有し、該底面は第３の角度調整板が前記凹み部に嵌合しロフト角、およびフェース角を調整可能にするための螺子孔の箇所はフェース側に第１の螺入孔とバックフェース側に第２の螺入孔が穿設され、また前記第１の螺入孔と前記第２の螺入孔との中間部分に第３の螺入孔が穿設され、前記凹み部の平面形状はフェース側の一辺の両端から前記バックフェース側に向かって延伸する左右の辺を有し該左右の辺は該バックフェース側で連結された略台形状のソール凹み部と、
平面形状が前記ソール凹み部の平面形状と略同一であって該ソール凹み部に着脱可能に嵌合する前記第３の角度調整板と
前記角度調整板をソール凹み部に嵌着するための該螺孔に螺入される第１のねじおよび第３の螺入孔へ螺入りされる第１のねじと、からなり、
前記第３の角度調整板は１枚の板からなり前記フェース側及び前記バックフェース側との間の中間部分は該フェース側及び該バックフェース側よりもその板厚が薄くなるとともに前記ソール凹み部に該第３の角度調整板が嵌合したときに該中央部分には該第３の角度調整板と該ソール凹み部の底面との間に所定の間隙を有し、前記第１ねじが貫通する貫通孔が形成され、
前記第３の角度調整板を貫通する前記第１のねじを介して前記角度調整板を固着しまたは該第３の角度調整板の前記中央部分の内側が該第１のねじの頭部に前記ソール凹み部の底面側から押圧され該第３の角度調整板の中央部分が前記ソール面に対して所定の高さに突出することによる該第３の角度調整板が前記ソール面に対して所望の角度を以って固着される、ことを特徴とするゴルフクラブ。
に対して所望の角度を以って固着される、ことを特徴とするゴルフクラブ。
【請求項２】
前記第３の角度調整板は、前記記載の実施例４に係るゴルフクラブヘッドの凹み部の  フェース側の高さがソール面に面一に嵌合し、前記実施例４に係るゴルフヘッドの凹み部の底面に穿設した  ねじ孔に対応する個所に前記ヘッドのフェース側とバックフェース側とに前記第１のねじが貫通する貫通孔が貫設されている、ことを特徴とする請求項  １に記載のゴルフクラブ。
【請求項３】
前記ソール凹み部を凹設した実施例４に係るゴルフクラブヘッドは、該凹み部の底面と第３の角度調整板の底面に間隙があるがすくなくとも前記第３の角度調整板を貫通して前記第１の螺入孔に螺入する前記第１のねじにより水が滞留する恐れをなくするために第３の角度調整板のフェース側が前記ソール凹み部の底面に密着して固定する、ことを特徴とする請求項１から２のいずれかに記載のゴルフクラブ。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
ゴルフクラブヘッドは、ソール面に凹設されるソール凹み部が前記ソール面に対して前記ゴルフクラブヘッドのフェース側がバックフェース側と同一の深さまたはフェース側がバックフェース側よりも浅くなるように形成された底面を有し、その底面は角度調整板３３が前記ソール凹み部に嵌合しロフト角、およびフェース角を調整可能にするための螺入孔の箇所はフェース側に第１の螺入孔とバックフェース側に第２の螺入孔が穿設され、また前記第１の螺入孔と前記第２の螺入孔との中間部分に第３の螺入孔が穿設され、前記ソール凹み部の平面形状はフェース側の一辺の両端から前記バックフェース側に向かって延伸する左右の辺を有し前記左右の辺は前記バックフェース側で連結された略台形状のソール凹み部と、平面形状が前記ソール凹み部の平面形状と略同一であって前記ソール凹み部に着脱可能に嵌合する前記角度調整板３３と、複数のねじは前記角度調整板３３を前記ソール凹み部に嵌着するための前記第１の螺入孔に螺入されるねじと前記第２の螺入孔へ螺入されるねじ、および前記第３の螺入孔に入るねじとからなり、前記角度調整板３３は１枚の板からなり前記フェース側及び前記バックフェース側との間の中間部分は前記フェース側および前記バックフェース側よりもその板厚が薄くなるとともに前記ソール凹み部に前記角度調整板３３が嵌合したときに前記中間部分には前記角度調整板３３と前記ソール凹み部の底面との間に所定の間隙を有し、前記角度調整板３３の前記フェース側と前記バックフェース側にねじを通す貫通孔が形成され、前記ソール凹み部の底面の前記中間部分に穿設された前記第３の螺入孔に螺入されるねじと、前記角度調整板３３を貫通する前記第１の螺入孔および第２の螺入孔に入るねじを介して前記角度調整板３３を固着し、前記角度調整板３３の前記中間部分の内側が前記第３の螺入孔に入るねじの頭部に前記ソール凹み部の底側から押圧され前記角度調整板３３の前記中間部分が前記ソール面に対して所定の高さに突出することによる前記角度調整板３３が前記ソール面に対して所望の角度を以って固定される、ことを特徴とするゴルフクラブ。
【請求項２】
前記角度調整板３３は、ゴルフクラブヘッドの前記ソール凹み部のフェース側の高さがソール面に面一に嵌合し、ゴルフクラブヘッドの前記ソール凹み部の底面に穿設した前記第１の螺入孔、前記第２の螺入孔に対応する個所に前記ヘッドのフェース側とバックフェース側にそれぞれ前記のねじが貫通する貫通孔が貫設されている、ことを特徴とする請求項  １に記載のゴルフクラブ。
【請求項３】
前記ソール凹み部を凹設したゴルフクラブヘッドは、前記ソール凹み部の底面に貫通した前記第１の螺入孔と前記第２の螺入孔及び前記第３の螺入孔があり、その平面から見た形状は前記角度調整板３３と略同形状であって、ロフト角およびフェース角の調整可能なことを特徴とする請求項１から２のいずれかに記載のゴルフクラブ。